Podtech/llm-jp-corpus-v4-ja_patent huggingface dataset:
(57)【要約】【課題】ＳＭバスインタフェースのトリガ回路の提供。【解決手段】ＳＭバスインタフェースのトリガ回路は、レジスタ（Ｒｅｇｉｓｔｅｒ）が設けられ、該レジスタがトリガ回路（Ｔｒｉｇｇｅｒ）に連接され、ＳＭバス下のディジタルシリアル信号が先に該レジスタに送られて暫時保存の動作が形成され、受信端がトリガ命令を受けて情報伝送動作を行う時に、トリガ回路のトリガにより、これらの暫時保存されたシリアル信号がパラレル信号に変換されて出力され、データの正確性と完全性を確保し、並びに信号の伝送時間を確実に掌握できるようにする。【選択図】　　　　図５
0003097431.tif 000002
【実用新案登録請求の範囲】
【請求項１】
ＳＭバスインタフェースのトリガ回路において、レジスタとトリガ回路を具え、トリガ回路がレジスタのトリガ端に連接され、該レジスタの入力端が制御をしたいシリアル入力信号の連接に供され、これらシリアル入力信号がレジスタに暫時保存され、ＳＭバスのトリガ信号のトリガにより、レジスタ内に暫時保存されたシリアル信号がパラレル信号として出力され、データの正確性と完全性を確保すると共に信号の伝送時間を確実に掌握できるよう形成されたことを特徴とする、ＳＭバスインタフェースのトリガ回路。
【考案の詳細な説明】
【０００１】
【考案の属する技術分野】
本考案は一種のＳＭバスインタフェースのトリガ回路に係り、特にＳＭバスディジタル信号をシリアル信号からパラレル信号に変換して出力し、システムの誤動作或いは不安定状況の発生を防止するトリガ回路の構造に関する。
【０００２】
【従来の技術】
一般にＳＭバス（Ｓｙｓｔｅｍ　Ｍａｎａｇｅｍｅｎｔ　ＢＵＳ；システム管理バス，Ｉ２　Ｃ二線式シリアルバスを含む）インタフェースのディジタル信号処理方式は、いずれもシリアル信号を採用し、則ち入力信号が改修されて出力端で変化を発生し、図１のＡからＤの示す、０００が１１１に変化する過程に示されるように、処理装置１の入力端１１が１の時、その出力端１２は同じ１の変化を生成し、入力端が完全に１１１とされる時、出力もまた１１１となる。このような方式は、データが０００から１１１に変化する時、出力値が１００と１１０の変化を経過して、最後に目標値１１１となり、且つデータビット数が大きくなるほど、期間の不安定な出力が多くなり、異なる用途に組み合わされる時、システムの誤動作やその他の不安定な状況を発生しやすい。
【０００３】
さらに、図２に示されるように、仮に一組の制御電圧の表を挙げると、一般状態では、電圧を元来の１．５０Ｖから１．５５Ｖに変化させたい時、そのうちの電圧出力は１．７０Ｖ（０１１１１）、１．６５Ｖ（０１０１１）、及び１．６０Ｖ（０１００１）を経過した後に目標電圧１．５５Ｖに到達し、このため、期間電圧の不安定がシステムに対して損害を形成するおそれがあり、改善が求められている。
【０００４】
【考案が解決しようとする課題】
本考案の主要な目的は、一種のＳＭバスインタフェースのトリガ回路を提供することにあり、それは、レジスタを具え、該レジスタがトリガ回路に連接され、ＳＭバス下のディジタルシリアル信号が先に該レジスタに送られて暫時保存され、受信端がトリガ命令を受けて情報伝送動作を行う時に、トリガ回路のトリガにより、これらの暫時保存されたシリアル信号がパラレル信号に変換されて出力され、データの正確性と完全性を確保し、並びに信号の伝送時間を確実に掌握できるようにするものとする。
【０００５】
本考案のもう一つの目的は、トリガ回路のトリガ方式により、ＳＭバス伝送時の制御電圧を一回で目標値に調整できるようにし、変換過程中の出力値の不安定の問題を解決し、不安定な電圧がシステムに対して損害を及ぼすのを防止できるようにすることにある。
【０００６】
【課題を解決するための手段】
請求項１の考案は、ＳＭバスインタフェースのトリガ回路において、レジスタとトリガ回路を具え、トリガ回路がレジスタのトリガ端に連接され、該レジスタの入力端が制御をしたいシリアル入力信号の連接に供され、これらシリアル入力信号がレジスタに暫時保存され、ＳＭバスのトリガ信号のトリガにより、レジスタ内に暫時保存されたシリアル信号がパラレル信号として出力され、データの正確性と完全性を確保すると共に信号の伝送時間を確実に掌握できるよう形成されたことを特徴とする、ＳＭバスインタフェースのトリガ回路としている。
【０００７】
【考案の実施の形態】
図３に示されるように、本考案はレジスタ２を疎な瀬、該レジスタ２がトリガ回路３に連接され、レジスタ２の入力端２１が制御したい入力信号に連接され、ＳＭバス下のディジタルシリアル信号が先にレジスタ２に送られ暫時保存され、受信端がトリガ命令を受けて情報伝送動作を行う時、ＳＭバスのトリガ信号の該トリガ回路３に対するトリガにより、レジスタ２に暫時保存されたシリアル信号がパラレル信号に変換されて出力端２２より出力され、これにより、データの正確性と完全性を確保すると共に、信号の伝送時間を確実に掌握できるようにしている。
【０００８】
図４のＡからＥに示されるように、本考案は動作時に、仮にデータを０００から１１１に変えるとすると、出力値は１００と１１０の変化を経過するが、変換されたデータは先にレジスタ２中に保存され、トリガ回路３のトリガの後、出力端２２の出力が１１１となり、システムの誤動作とその他の不安定な状況が防止される。
【０００９】
図５は本考案の回路応用実施例図であり、図示されるように、本考案はＣＰＵ４の信号伝送に応用される。そのうち、ＣＰＵ４とそれに連接されたＰＷＭ５の間には本考案の回路が設けられ、ＣＰＵ４の入力信号が先にレジスタ２に暫時保存され、それに連接されたトリガ回路３がＳＭバスのトリガ信号にトリガされる時、レジスタ２の出力端よりパラレル信号が出力され、これによりデータの正確性と完全性が確保され、並びに信号の伝送時間が確実に掌握される。
【００１０】
さらに図２を参照されたい。本考案の応用により、電圧制御時に、同様に電圧を１．５０Ｖから１．５５Ｖに改変したい時は、シリアル信号暫時保存の方式により、一回で電圧が１．５０Ｖから目標値の１．５５Ｖに調整され、これにより周知の方式が、１．７０Ｖ、１．６５Ｖ、１．６０Ｖを経過した後に、目標値の１．５５Ｖを達成する問題を解決し、改変過程中の出力値不安定の問題を解決する。
【００１１】
【考案の効果】
総合すると、本考案はレジスタにそれに連接されたトリガ回路が組み合わされ、シリアル信号をレジスタに暫時保存し、トリガ回路のトリガによりパラレル信号を出力し、システムの誤動作或いは不安定な状態の発生を防止し、ゆえに本考案は実用的な設計とされる。
【図面の簡単な説明】
【図１】周知のディジタル信号伝送フロー表示図である。
【図２】周知の技術による制御電圧表である。
【図３】本考案の回路ブロック図である。
【図４】本考案のディジタル信号伝送フロー表示図である。
【図５】本考案の応用実施例の回路表示図である。
【符号の説明】
１　処理装置　　　　２　レジスタ　　　　３　トリガ回路
４　ＣＰＵ　　　　　５　ＰＷＭ　　　　　２１　入力端
２２　出力端
【図１】
0003097431.tif 000003
【図２】
0003097431.tif 000004
【図３】
0003097431.tif 000005
【図４】
0003097431.tif 000006
【図５】
0003097431.tif 000007
(57)【要約】【課題】回転炉の回転胴の変形、熱による軸方向、径方向の変位を吸収することができ、シール効果の高い回転炉シール装置を提供すること。【解決手段】回転炉の出口部及び／または出口部のシール装置であって、弾性のあるシール材を傾斜させ、一端を回転炉の静止部に固定し、他端部は回転する外周部で圧接摺動する構成からなる。【選択図】　　　図１
0003097469.tif 000002
【実用新案登録請求の範囲】
【請求項１】
円筒状をなして回転する回転胴の入り口部及び／または出口部と、静止部との間の回転炉シール装置において、弾性のある複数の板状のシール材を、回転する外周面に向けて傾斜させてその一端を静止部に固定し、シール材の他端部を外周面に圧接摺動させることからなる回転炉シール装置。
【請求項２】
弾性のあるシール材が、ゴム、アスベスト、石綿布からなる群から選ばれる少なくとも一種により構成されていることを特徴とする請求項１に記載の回転炉シール装置。
【請求項３】
シール材の傾斜角度が、８５度以下であることを特徴とする請求項１または２に記載の回転炉シール装置。
【請求項４】
シール材の外側にワイヤー等の締め付け冶具を設けたことを特徴とする請求項１〜３の何れか１項に記載の回転炉シール装置。
【考案の詳細な説明】
【０００１】
【考案の属する技術分野】
本考案は、ロータリーキルン等の回転部と静止部との間をシールする回転炉シール装置に関する。
【０００２】
【従来の技術】
炉床回転炉、パイプ状回転炉並びにキルンドラム炉などのような回転炉の場合、回転する炉部と静止部の入口並びに出口ハウジングとの間をシールするためには、回転胴の変形及び、特に熱伸びによる軸方向、径方向の変位量を吸収しなければならない。
これらの問題に対して、ばね鋼製の羽根型シール構造で対応している設備が多いが（特許文献１参照）、この構造ではばね板の動く範囲に限界があり、またばね板の隙間から加熱物が漏れ落ちる場合が多かった。さらに、回転炉部とハウジング部に夫々径方向伸縮を許容するシール部材と軸方向伸縮を許容するシール部材を有する回転炉シール装置が記載されているが（特許文献２参照）、このような構造でも、許容できる回転胴の変形量には限界があり、大型のロータリーキルン等には適用できなかった。また上記の二つの装置とも構造がかなり複雑である。
【０００３】
【特許文献１】
特開昭６０−１５９５８５号公報
【特許文献２】
特開２０００−１１６４６０号公報
【０００４】
【考案が解決しようとする課題】
本考案は、上述した問題に鑑みてなされたものであって、回転炉の回転胴の変形並びに熱による軸方向、径方向の大きな変位を吸収することができ、大型の回転炉にも適用できるシール効果の高い回転炉シール装置を提供することを目的とする。
【０００５】
【課題を解決するための手段】
本考案は上記の目的を解決するためになされたもので以下の構成からなる。
（１）　円筒状をなして回転する回転胴の入り口部及び／または出口部と、静止部との間の回転炉シール装置において、弾性のある複数の板状のシール材を、回転する外周面に向けて傾斜させてその一端を静止部に固定し、シール材の他端部を外周面に圧接摺動させることからなる回転炉シール装置。
（２）　弾性のあるシール材が、ゴム、アスベスト、石綿布からなる群から選ばれる少なくとも一種により構成されていることを特徴とする上記（１）に記載の回転炉シール装置。
（３）　シール材の傾斜角度が、８５度以下であることを特徴とする上記（１）または（２）に記載の回転炉シール装置。
（４）　シール材の外側にワイヤー等の締め付け冶具を設けたことを特徴とする上記（１）〜（３）の何れかに記載の回転炉シール装置。
【０００６】
【考案の実施の形態】
本考案の回転炉シール装置を図１、図２により説明する。図２は図１のシール部近辺の拡大断面図である。
図において、１は回転胴、２は回転胴の入口部である。回転胴の出口部においても同様に適用することができる。本考案は回転炉の入口部、出口部の一方に適用し、他方は別のシール装置でも良いが、両方に適用することが好ましい。図の３は炉の静止部である。
本考案の回転炉シール装置は特定のシール材４を用いることを特徴とする。
弾性のあるシール材４には、ゴム、アスベスト、石綿布等を用いることができ、温度が高い場合はアスベスト、石綿布等を用いるのが好ましい。アスベスト等は弾性を高めるために鋼線等を芯材にして成形することもできる。またシール材４は、シール効果を高めたり加熱物の漏れを防ぐため複数以上で構成する。複数とは２枚以上であるが、具体的には、回転炉の口径にもよるが、３枚〜１００枚程度で構成し、またシール材を図１に示すように２枚重ねとしても良い。また多数枚使用により図１に示すように先端側の屈折が容易になる。なお、シール材を２枚重ねとする場合は、シール材の切れ目の部分を１重目と２重目でずらして設置するのが好ましい。各シール材の他端部４１は入口部２の曲面に合わせて円弧状をなし、屈曲部４２のところでほぼ直線状をなして折れ曲がる。そして各シール材は固定部の方向に幅が広い形状をなし、これらの各シール材が継ぎ合わされている。シール材の厚さは、回転炉の大きさにもよるが、５〜３０ｍｍの範囲がよい。
【０００７】
シール材は入口部２の外周面に向けて傾斜させ、その一端が静止部３に保持具５により固定されている。シール材の他端部はシール材の弾性により外周部に圧接されながら、外周面の回転により摺動する。先端部は面接触で圧接されていることが好ましい。
シール材の上記傾斜角度（図２のθ）は８５度以下の範囲内とするのが好ましく、より好ましくは１５度〜４５度の範囲内とする。シール材の傾斜角度をこの範囲内とすることにより、回転胴の回転がスムーズとなり、また回転胴の変形や変位に対する許容範囲が広くなる。
また本考案の、回転炉シール装置のシール材は、図１に示すように例えばワイヤー６で、シール材の摺動の妨げとならない範囲で、締め付けることにより摺動部分でのシール効果をさらに高めることができる。
【０００８】
【考案の効果】
本考案によれば簡単な構造により、回転炉の熱の膨張、収縮に容易に追従でき、シール効果を高めることができる。
【図面の簡単な説明】
【図１】本考案の回転炉シール装置の外観図である。
【図２】図１のシール部近辺の拡大断面図である。
【符号の説明】
１　回転胴
２　回転胴の入口部
３　回転炉の静止部
４　シール材
５　保持具
６　ワイヤー
４１　シール材摺動部
４２　シール材屈曲部
【図１】
0003097469.tif 000003
【図２】
0003097469.tif 000004
(57)【要約】カーテンの表面と裏面を容易に反転することを可能にしたカーテンレールを提供する。【解決手段】直線のカーテンレール（１）と直線のカーテンレール（２）の片側にＵ字形カーテンレール（３）を付ける。又は直線のカーテンレール（１）と直線のカーテンレール（２）の両端にＵ字形カーテンレール（３）及びＵ字形カーテンレール（４）を接続し、ループ状にしたことを特徴とする。【選択図】　図２
0003097420.tif 000002
【実用新案登録請求の範囲】
【請求項１】
二本のカーテンレールの片側又は両端を、Ｕ字形レ
ールで接続し、カーテンの反転を容易にしたカーテンレール。
【考案の詳細な説明】
【０００１】
【考案の属する技術分野】この考案はカーテンを吊るした状態で容
易に反転が可能となるカーテンレールに関するものである。
【０００２】
【従来の技術】従来のカーテンレールは、直線となった一本で構成されている。しかし、カーテンを反転したい時はフックをはずし、掛けかえる必要があった。そのため作業が繁雑となりほとんど
行われていない。
【０００３】
【考案が解決しようとする課題】従来のカーテンレールは直線の一本のレールとなっているため、カーテン表面と裏面の異なる絵柄や、異なる色彩のカーテンを時々反転して使用したい時に、一つ一つのフックを全て掛けかえて反転させなければならなかった。本考案は以上のような欠点を改善するためになされた物である。
【０００４】
【課題を解決する為の手段】二本のカーテンレールの片側、又は両端にＵ字形のカーテンレールで接続し、カーテンを容易に反転す
ることを可能にしたものである。
【０００５】
【考案の実施の形態】以下、本考案の実施の形態について説明する。直線カーテンレール（１）及び直線カーテンレール（２）の片側に、Ｕ字形レール（３）及びＵ字形レール（４）を接続する。直線カーテンレール（１）に吊るされたカーテン（図３）を表面　　　　　　　（５）とし、そのままカーテンを移動して直線カーテンレール（２）にカーテンが吊るされた状態（図４）にすると、直線カーテンレール（１）に吊るされていた時、裏面（６）であったものが表面に出てくる。このようにカーテンを容易に反転させることが
できる。
【０００６】
【考案の効果】表面と裏面に異なる絵柄のあるカーテンを、時々反転させて吊るしたい時に容易に反転させることができるので、気分転換ができる。又外側にレースのカーテン、内側に厚めのカーテンを吊るした状態をそのまま移動して外側に厚めのカーテンを、内側にレースのカーテンを容易に移動できるので、多様性に富み、生活をエンジョイできるので本考案は有意義であると考えら
る。
【図面の簡単な説明】
【図１】本考案の上から見た分解図
【図２】本考案の上から見た図
【図３】本考案のレール（１）にカーテンを吊るした状態を上から見た図
【図４】本考案のレール（２）にカーテンを吊るした状態を上から見た図
【符号の説明】
１・２　直線のカーテンレール
３・４　Ｕ字形のカーテンレール
５　　　カーテンの表面
６　　　カーテンの裏面
【図１】
0003097420.tif 000003
【図２】
0003097420.tif 000004
【図３】
0003097420.tif 000005
【図４】
0003097420.tif 000006
(57)【要約】【課題】人体の首を寒さや、直射日光から保護し運動中にも外れにくいネックリングを簡単、確実に行うことを得る。【解決手段】図１の様に、ｈを人体の首の長さに近い寸法とし、ｄを人体の首にフイットする径とした、伸縮自在のネックリングを頭を通して首に装着することにより、運動中にも外れにくくなる。【選択図】　　　図１
0003097836.tif 000002
【実用新案登録請求の範囲】
【請求項１】
人体の首の部分を、首の大きさによって調整し固定できる帯、又は帯状のリング。
【考案の詳細な説明】
【０００１】
【考案の属する技術分野】
本考案は、衣料品における人間の首の部分を一般の生活状態、又は運動の時に保護することを目的としたものであり、首の長さに相当する幅で、首を周回する帯、又はリングである。
【０００２】
【従来の技術】
従来、首に巻く衣料品としては、マフラー、スカーフ、タオル、ネクタイ等が首の保温、又は装飾品として一般に知られている。
【０００３】
【考案が解決しようとする課題】
従来の技術で述べたこれらの衣料品には、一般の使用時、とくに運動時に次のような不便な点があります。
（１）首に巻いた場合、両端がフリーで邪魔になる。
（２）首に巻いて両端を結ぶなどしても、自然に解けてしまいわずらわしい。
などの不便さがある。
【０００４】
【課題を解決するための手段】
本考案は、前記の不便な点を取り除くための考案で、図１は、伸縮自在な素材を使用し幅ｈ、直径ｄを首に合うように製作し、頭を通して首に装着する。
【０００５】
また、図２は図１の幅ｈを２倍としたもので、使用時に二つ折りにして利用してもよい。
【０００６】
さらに、図３は、幅ｈ、長さを首の周囲に周回して余裕のある長さＬとし、端にマジックテープ、又はフックａ、ｂ等を取り付け首の大きさに合わせて調整して首に装着する。
【０００７】
また、図４は図３の幅ｈを２倍としたもので、二つ折りにして首に巻き付け利用しても良い。
【０００８】
【考案の実施の形態】
考案の実施の形態について図面を参照して説明する。
図１〜図４において、図１および図２は製品の伸縮性を利用して、頭を通して首に装着する、図３および図４は首に巻き付け、両端に取り付けられたマジックテープ又はフォック等で固定して装着する。
【０００９】
【考案の効果】
本考案は、上記のとおり構成されているので、次に記載する効果を得る。
【００１０】
図１および図２はリング状になっているので、端はなく運動時にも邪魔にならず、首から外れない効果がある。
【００１１】
図３および図４は首に巻いて両端を固定するため、端はフリーにならずまた、外れにくい効果がある。
【図面の簡単な説明】
【図１】首の長さに近い寸法をｈとし、首の直径に相当する寸法をｄとしたネックリングの図である。
【図２】図１におけるｈの寸法を２倍とし、二つ折りにした図である。
【図３】首の長さに近い寸法をｈとし、首を周回する長さにマジックテープ又はフォック等を取り付ける部分を追加した長さをＬとしたネックリングの図である。
【図４】図３におけるｈの寸法を２倍とし、二つ折りにした図である。
【符号の説明】
ａ　マジックテープ又はフォック等
ｂ　マジックテープ又はフォック等
ｄ　首の直径に相当する長さ
ｈ　首の長さに相当する寸法
Ｌ　首の周囲長さにマジックテープ又はフォック等を取り付ける部分を追加した長さ
【図１】
0003097836.tif 000003
【図２】
0003097836.tif 000004
【図３】
0003097836.tif 000005
【図４】
0003097836.tif 000006
(57)【要約】　　　（修正有）【課題】読書あるいは書き写し等を行う場合に、開いた頁を、容易に保持し、亦、本を少し移動させるだけで頁を捲り再度開いた頁を保持できる本の頁挟を提供することである。【解決手段】前方の中央が開口し、開口部８の付け根部に本のストッパーとなる停止板を立設し、該開口部の左右を薄い平板状に形成する基板１と、前方に開いた本の中央部を支持するほぼ三角形状の抑板５と、抑板５の左右に開いた紙面を押さえる紙面支持板６を突起させて設ける上板２とを、板状のバネを介して、曲板で可動的に結合して成る頁挟として課題を解決するものである。【選択図】　　図１
0003097839.tif 000002
【実用新案登録請求の範囲】
【請求項１】
前方の中央部が開口し左右を薄い平板状に形成し、前記開口部の非開口側端部位置に、差し込んだ本のストッパーとなる停止板を立設する基板と、中央に略三角形に近い、開いた本の中央部を押さえる抑板と、該抑板の左右に頁を支持する紙面支持板を突起させて設ける上板を、接続片に依り板状バネを挟んで可動的に結合して成る本の頁挟。
【考案の詳細な説明】
【０００１】
【考案の属する技術分野】
本考案は、本の頁が状況に依って、勝手に閉じたり捲れたりしないで安定して開いた頁を保持することの出来る本の頁挟に関するものである。
【０００２】
【従来の技術】
従来、読書或いは書き取り等を行う場合の、開いた本の頁を保持する必要がある時には、錘を使用したり本を立台に立てて頁を押さえる仕様ものであり、この仕様では限られた状態での使用しか有効でないと云う問題を解決するために、例えば特開２００１−８０２４３号公報に記載されている、弾性線材或いは板材を曲げて形成する携帯にも便利であるバネ状のページ止めクリップが公知されている。
【０００３】
【考案が解決しようとする課題】
前記公知のクリップに於いては、開いた頁を容易に保持し且つ携帯にも便利であり場合によっては栞としても利用出来るものとして有効ではあるが、頁を押さえている弾性力が弱けれが簡単に本から離脱するので相当に強いことが要求され、そのために頁を捲る場合にはクリップを外す指に負担がかかると共に本の中央部の押さえが無い為に安定した開いた頁の保持が得られ難く、操作も物品が比較的小さいので為難いと言う問題があり、上記問題を解決する操作の容易な安定して開いた頁を保持し更に改頁も片手で容易に行うことの出来る頁挟を提供する事が本考案の課題となっている。
【０００４】
【課題を解決する為の手段】
基本的には、板状のバネを挟んで、接続片を介して可動的に固定される上板と基板とから成り、前記上板の前方に、開いた本の中央部を支持する略三角形状の抑板を中央に、開いた両頁を支持する紙面支持板を立設するとともに、前記基板には、前方中央部を開口し、左右を薄い平板状に形成し、前記開口部の非開口端部位置に本を差し込む場合のストッパーとなる停止板を立設して成る頁挟として課題を解決している。
【０００５】
【考案の実施の形態】
以下、図面に示す実施例に従って、本考案の実施の形態について詳述する。
図１は、本考案の一実施例における使用状態を示す見取図である。
基板１の前方に開口部８を設け、その左右を本９の頁間に入る比較的薄い平板状に形成すると共に、開口部８の非開口側端面位置に停止板（番号省略）と、その奥に接続片７を立設し、前方先端部の中央部に先が尖っている略三角形状の、開いた本の中央部を押さえる抑板５とその左右に頁を支持する紙面支持板６を突起させて設ける上板２を、板状バネ３を挟んでピン４により基板１に設ける接続片７で可動的に結合している。
【０００６】
図２は、図１に示す実施例の側面図であり、常時は板状バネ３の弾性力に依って、上板２が基板１に圧接されている状態を示したものである。
図３は、平面図であり、開口部８を開口する基板１及び上板２の形状例を示しているものであり、図４は、前方側面図であり、上板２に突起して設ける抑板５及び紙面支持板６の位置或いは形状例を示すものである。
【０００７】
使用に当たっては、上板２の端部を手で圧して板状バネ３を圧縮して上板２の前方を開き、開いた本或いは開いた本の頁を基板１上に立設されている停止板（番号省略）位置まで差し込み、上板２から手を離すと、上板２が閉じ抑板５と紙面支持板６が開いた頁の紙面及び本９の中央部を抑えて開いた頁を保持し、読み終える或いは書き取りが終了して改頁する場合には、上板２の端をを片手で下方に押して前方部を開き、本を上板２の前方端部位置程度まで引き出して頁を捲り再度停止板まで差し込んで新しく開いた頁を同様の操作で保持するものである。
【０００８】
図に示す実施例においては、基板１と上板２との接続は、板状バネ３を挟んで、基板１上に設ける接続片７部でピン４に依り可動的に結合する例を示したが、接続片７としてこれに限るものでは無く、接続片７を独立する部品として例えば湾曲する形状的弾性を有する曲板を使用する等、要するに可動的に結合するものであれば、その設計は自由である。
また、突起する抑板５は、先端部が本の中央とじ目部分を支持出来るほぼ三角形状をしていればよいのであって、要するに先端部が先細りすら形状に設けることが出来、その辺面を曲線状にする等の選択は自由であり、紙面支持板６としては、先端部が紙面を傷つけない程度の平坦部を有するものであれば、その形状を問うものでは無い。
【０００９】
【考案の効果】
以上、図面に示す実施例に従って本考案の実施の形態について説明したが、本考案において、課題としている、極めて容易な操作により、開いた頁を使用中に安定して保持することを十分に解決している頁挟としての特有の効果を有するものである。
【図面の簡単な説明】
【図１】使用状態を示す見取図である。
【図２】図１に示す実施例の側面図である。
【図３】図２に示す実施例の平面図である。
【図４】図２に示す実施例の前方側面図である。
【符号の説明】
１　　　基板
２　　　上板
３　　　板状バネ
４　　　ピン
５　　　抑板
６　　　紙面支持板
７　　　接続片
８　　　開口部
９　　　本
【図１】
0003097839.tif 000003
【図２】
0003097839.tif 000004
【図３】
0003097839.tif 000005
【図４】
0003097839.tif 000006
(57)【要約】【課題】ハリに掛かった魚の抵抗及び重みで発生する枝スの屈曲が原因で生じる枝スの幹糸への絡まりを軽減する。【解決手段】枝ス２を輪１に通して幹糸３に接続することにより、枝ス２に発生する屈曲部が輪１と接続部との間に位置するようにした。【選択図】　　　　　　　　図１
0003097838.tif 000002
【実用新案登録請求の範囲】
【請求項１】
幹糸３に直接、或いは、保持部４を介して輪１を付属させ、枝ス２をこの輪に通して幹糸３に接続する仕掛け。
【考案の詳細な説明】
【０００１】
【考案の属する技術分野】
本考案は、釣りの仕掛けに係わるものであり、特に複数のハリを使用する枝ス仕掛けに関するものである。
【０００２】
【従来の技術】
従来、枝ス仕掛けは、枝スを幹糸に直接接続するか或いは接続具を介して接続していた。
【０００３】
【考案が解決しようとする課題】
従来の技術で述べたもののうち直接接続する技術は次の問題点を有していた。即ち、魚が枝スの先のハリに掛かると、取り込みまでの間の魚の抵抗及び重みで、幹糸との接続部で枝スが屈曲してしまい幹糸に絡まり易くなるという問題点。また、接続具を介して接続する技術は接続具に糸が絡まるという問題点、或いは、扱いがめんどうになるという問題点を有していた。
【０００４】
【課題を解決するための手段】
上記課題を解決するために幹糸に直接、或いは、保持部を介して輪を付属させ、枝スをこの輪を通してから幹糸に接続した。
【０００５】
【考案の実施の形態】
本考案の実施の形態について図面を参照して説明する。
図１及び図２において、幹糸３に輪１を付属させる。輪１の目的は考案の効果で後述するが、輪１の形状は円形又は楕円形又はこれらに似た形状が望ましく、寸法は枝ス２が通りかつ枝ス２が輪１の中で動きできるだけ小さいものとする。
【０００６】
輪１の材質は、幹糸３自身を結んで作製するか、プラスチック、非腐食性金属がよい。
【０００７】
輪１の幹糸３への付属は、幹糸３自身を結んで輪１を作製するか、接着剤で接着する。
【０００８】
枝ス２を輪１に通し、幹糸３に結んで接続する。
【０００９】
図３及び図４において、幹糸３に保持部４を介して輪１を付属させる。この場合の輪１の機能、寸法、材質は上記と同様である。
【００１０】
保持部４の材質は、幹糸３自身を編み込んで作製するか、プラスチック、非腐食性金属がよい。
【００１１】
保持部４の幹糸３への付属、及び、輪１の保持部４へ付属は、幹糸３自身で作製するか、接着剤で接着する。
【００１２】
枝ス２を輪１に通し、幹糸３に結んで接続する。
【００１３】
【実施例】
図５において、本例は、図１及び図２に示した本考案を使用したさびき仕掛けである。釣り竿７に接続したリール８からのばされた道糸６に幹糸３が接続されている。幹糸３には複数の輪１が付属され、各々の輪１に通された枝ス２が幹糸３に接続されている。幹糸３の最先端にはおもり９が接続されている。
【００１４】
図６において、本例は、図３及び図４に示した本考案を使用したびし仕掛けである。釣り竿７に接続したリール８からのばされた道糸６に、おもり付きびしかご１０が装着された天秤１１が接続されている。てんびんには幹糸３が接続されている。幹糸３には複数の保持部４が付属され、各々の保持部４に輪１が付属されている。各々の輪１には枝ス２が通され幹糸３に接続されている。幹糸３の最先端にはハリが接続されている。
【００１５】
図１及び図２で示した本考案をびし仕掛けに使用することもでき、図３及び図４で示した本考案をさびき仕掛けに使用することもできる。
【００１６】
【考案の効果】
本考案の仕掛けに魚がかかると、魚の抵抗及び重みで枝ス２は引っ張られ、輪１、或いは、保持部４が湾曲しそれらの接続部で屈曲すると同時に枝ス２が輪１の中で魚方向に滑る。この時屈曲が枝ス２上、枝ス２と輪１の接点に発生する。
【００１７】
魚を取り込みハリからはずして加重を取り除くと輪１、或いは、保持部４で発生した湾曲とそれらの接続部で発生した屈曲は材質の弾性によりほとんど取り除かれる。同時に、輪１の中で枝ス２が魚方向とは逆に滑る。故に、輪１との接点に発生した枝ス２上の屈曲部は、枝ス２と幹糸３の接続部と輪１との間に必ず位置する。
【００１８】
この結果、発生した屈曲は、絡まりの原因とはならない位置に移動することになり枝ス２が幹糸３に絡まりづらくなる。
【図面の簡単な説明】
【図１】幹糸、枝ス、輪及び各々の位置関係を表すイメージ図である。
【図２】図１における一点鎖線部の詳細拡大図である。
【図３】幹糸、枝ス、保持部、輪及び各々の位置関係を示すイメージ図である。
【図４】図３における一点鎖線部の詳細拡大図である。
【図５】本考案を使用したさびき仕掛けのイメージ図である。
【図６】本考案を使用したびし仕掛けのイメージ図である。
【符号の説明】
１　　輪
２　　枝ス
３　　幹糸
４　　保持部
５　　ハリ
６　　道糸
７　　竿
８　　リール
９　　おもり
１０　おもり付きびしかご
１１　天秤
【図１】
0003097838.tif 000003
【図２】
0003097838.tif 000004
【図３】
0003097838.tif 000005
【図４】
0003097838.tif 000006
【図５】
0003097838.tif 000007
【図６】
0003097838.tif 000008
(57)【要約】【目的】透明体からなる表面飾りボタンの周縁部に見やすい文字・記号・数字・模様を設ける。【構成】表面飾り部（１０）と、この表面飾り部を保持すると共に生地に取り付ける保持・取付部（２０）とからなるボタン（１）である。前記表面飾り部（１０）は透明体からなり、その底部周縁には文字・記号・数字・模様などからなる印刷部（１１）が設けられている。少なくとも前記印刷部（１１）が前記保持・取付部（２０）により支持されている。前記表面飾り部（１０）の前記透明体は表面が膨らんだ凸レンズ状のものであるのが好ましい。【選択図】　図２
0003097833.tif 000002
【実用新案登録請求の範囲】
【請求項１】
表面飾り部（１０）と、この表面飾り部を保持すると共に生地に取り付ける保持・取付部（２０）とからなるボタン（１）であって、
前記表面飾り部（１０）は透明体からなり、その底部周縁には文字・記号・数字・模様などからなる印刷部（１１）が設けられており、
少なくとも前記印刷部（１１）が前記保持・取付部（２０）により支持されていることを特徴とする飾りボタン
【請求項２】
前記表面飾り部（１０）の前記透明体は表面が膨らんだ凸レンズ状のものである請求項１記載の飾りボタン。
【請求項３】
前記保持・取付部（２０）に棚部（２３）が形成されていてこの棚部に前記印刷部（１１）が載置されている請求項１又は２記載の飾りボタン。
【請求項４】
前記保持・取付部（２０）のうち、前記表面飾り部（１０）の保持部（２１）は、棚部（２３）に囲まれた中央部が穴（２４）である請求項３記載の飾りボタン。
【考案の詳細な説明】
【０００１】
【考案の属する技術分野】
本考案は飾りボタン、特に、表面の主要部が透明体からなる飾りボタンに関する。
【０００２】
【従来の技術】
表面の主要部が透明体からなる飾りボタンは、例えば下記特許文献１−４により公知である。中でも、本願考案に最も近い特許文献１は、透明なボタン本体と、不透明な台座と、糸孔を有する突出部からなる。ボタン本体の底部には凹部により模様、文字などが形成されている。
【０００３】
【特許文献１】実開平６−３１５０７号公報
【特許文献２】実開昭５８−１２６０１４号公報
【特許文献３】実開昭６３−１７５４１１号公報
【特許文献４】登録第７７１９８３号意匠公報
【０００４】
【考案が解決しようとする課題】
特許文献１では、文字や模様を形成するためにボタン本体の底部を陥没させた凹部を作らなければならないので、加工が困難である。また、このやり方では、陥没加工のための深さが必要なため、ボタンの周縁部には文字や模様を形成することが困難である。また、この従来技術では、文字や模様が中央にあるためレンズ状透明体を通してみると、見る角度や距離により文字や模様が不規則に拡大されて見づらいことがある。さらに、一般に透明ボタンに文字等を加工すると、取り付ける生地の色に邪魔されて文字等が見づらくなるので、特許文献１では透明ボタンの背後に不透明の台座を設けている。そのため、透明体という意外性のある材料を使用するという長所が半減してしまっている。
【０００５】
本考案では、透明体からなる表面飾りボタンの周縁部に見やすい文字・記号・数字・模様を設けることを目的とする。
【０００６】
【課題を解決するための手段】
本考案の飾りボタンは、表面飾り部と、この表面飾り部を保持すると共に生地に取り付ける保持・取付部とからなるボタンであって、前記表面飾り部は透明体からなり、その底部周辺には文字・記号・数字・模様などからなる印刷部が設けられており、少なくとも前記印刷部が前記保持・取付部により支持されていることを特徴とする。
【０００７】
【考案の実施の態様】
前記表面飾り部の透明体は、例えばガラスや透明プラスチックからなる。全体を円形として、表面が膨らんだ凸レンズ状のものとすることが文字を拡大させる目的では好ましい。しかし、全体の形状は四角形その他の多角形、不定形などでもよい。透明体の底部の縁には文字・記号・数字・模様などからなる印刷部が設けられている。文字は商標や社名であることが多いが、どのようなものでもよい。印刷は、曲面にも小さな文字が書けるパット印刷が好ましい。
【０００８】
この表面飾り部を保持すると共に生地に取り付ける役目を担うのが保持・取付部である。表面飾り部を保持するために、この保持・取付部には前記透明体を載置する棚部が設けられていることが好ましい。そしてこの棚部に前記印刷部が載置され、周囲がかしめられたり、接着剤で接着されたりして、固定されることが好ましい。生地に取り付けるために、保持・取付部は取付用脚部を有する。取付用脚部は、例えばかしめ用脚と生地の裏でこれを支持する裏打ち材からなる。
【０００９】
前記保持・取付部のうち、前記表面飾り部の保持部は、前記棚部に囲まれた中央部が穴であることが好ましい。そうすることにより、中央部の背後には不透明材料がないため、ボタン表面の大部分が透明であるという印象を見る者に与えることができる。
【００１０】
【実施例】
以下、添付の図面に基づき、本考案の実施例を説明する。
【００１１】
図１は本考案の１実施例に係る飾りボタン１の斜視図である。図２は、表面飾り部と保持・取付部を分解した状態の斜視図である。図３は、表面飾り部の底面図である。
【００１２】
図２から明らかように、本考案の飾りボタンは、表面飾り部１０と保持・取付部２０からなる。表面飾り部１０は保持・取付部２０によりかしめ接合されている。
【００１３】
表面飾り部１０は透明プラスチックなどの透明体からなり、凸レンズ状に表面が膨らんでいる。図３に示すように、透明体の底面には円形の周縁部に文字１１がパット印刷により印刷されている。
【００１４】
図２に示すように、保持・取付部２０は、皿状の保持部２１と生地への取付脚部２２からなる。保持部２１の底部は穴あき状態であるので、その穴２４に沿って棚部２３が形成されている。表面飾り部の文字印刷部１１はこの棚部２３に載置される。棚部２３の色や明暗度を変更することにより文字の鮮明さを変えることができる。
【００１５】
図示しないが、保持・取付部のかしめ脚２２には、生地の裏でこれを支持する裏打ち材が設けられる。
【００１６】
【考案の効果】
本考案によれば、従来技術では困難であった透明体の周縁部に文字・記号・数字・模様などを設けることができる。文字等は、周縁部に設けられるので、中央部と異なり、文字が凸レンズにより拡大されても歪むことは少ない。また、中央部の背後には不透明材料がないため、ボタン表面の大部分が透明であり、衣服に意匠的なおもしろさを与えることができる。
【図面の簡単な説明】
【図１】本考案の１実施例に係る飾りボタンの斜視図である。
【図２】表面飾り部と保持・取付部を分解した状態の斜視図である。
【図３】表面飾り部の底面図である。
【符号の説明】
１０　　　　　表面飾り部
１１　　　　　印刷部
２０　　　　　保持・取付部
２３　　　　　棚部
【図１】
0003097833.tif 000003
【図２】
0003097833.tif 000004
【図３】
0003097833.tif 000005
(57)【要約】【課題】ファイリング作業をする際、背表紙のラベルの大きさを変化させて強調したり、分類を判り易くする必要が起こる。従来、数種類のラベルテープを、机上に用意して使い分けていた。一つが、数種類のニーズ応えられたらと、日頃思っていた。【解決手段】課題を解決するため、テープ状に連続したラベルをミシン目で切り取って使えるようにした。数種類の変化を付けられる様に、基本的な長さを短めに設定、短いものから長いもの迄、数種類のニーズに応えられる様に設定した。【選択図】図３
0003097835.tif 000002
【実用新案登録請求の範囲】
【請求項１】
利用者が好みの長さに切断して使用するため、
（１）、ラベルテープの基本長を非常に短く設定したもの連続的に連結作成してテープにする。
（２）、前記のテープは、粘着テープ状に、裏面に接着剤をコーティングし、テープ状台紙に貼り付ける。
（３）、前記のテープには、基本長のどの位置からでも切り離せるように、ミシン目を各基本長毎にいれておく。
以上の構成からなる、テープ状に連続したラベルテープである。
【考案の詳細な説明】
【０００１】
【考案の属する技術分野】
この考案は、ラベルテープの長さを好みで変えて使う時、沢山の種類を用意する事無く、数種類の要求に応えられる様にした物である。基本長を非常に短く設定したラベルテープを連続的にテープ状に作り、ミシン目で好みの長さに切断して使用出来るようにしてある。
【０００２】
【従来の技術】
従来のラベルテープは、一枚の台紙に同じ大きさの物を、数枚から十数枚ずつ貼り付けた形で販売されている。この形態だと、ラベルテープの長さを変えて用いたい時、その都度長さの異なる物を買い求めねばならない。何種類かを求めると、大変な量になってしまう事になる。
【０００３】
【考案が解決しようとする課題】
ラベルテープは、それぞれ貼り付ける物の大きさに依り、又強調したい度合い等によって、長さを変化させたいと言うニーズがある。これが一種類で、数
種類のニーズに対応出来れば大変好都合である。
【０００４】
【課題を解決するための手段】
従来の物に比べ、基本長を非常に短く設定し、始端及び終端の明確でないラベルテープを作成する。その基本長を一単位として、どこででも切れるように全てにミシン目をいれておく。此により、どこで切り離しても目立って問題とならない。これを、連続的なテープ状に作り、ロール状に収納する。
【０００５】
【考案の実施の形態】
本考案の実施の形態を説明すると、
（１）従来のラベルテープ（図１）は、葉書大の台紙に数枚から十数枚が貼られて製品化されている。本考案では、基本長を短く設定した物をテープ状に連続して作成する（図２）。これを、それぞれ各基本長毎に、切り離し用ミシン目（Ｒ）を台紙上ごと付ける。
（２）ユーザーは、希望する長さのミシン目で切り離して使用する。（図３）は、２倍長、３倍長、６倍長に切り離された状態図になる。
【０００６】
【考案の効果】
ラベルテープが、一種類で数種類のニーズに応えられるので、沢山の種類を買い求めなくて済むので、たいへん経済的である。
【図面の簡単な説明】
【図１】一般に製品化されているラベルテープである。
【図２】短い基本長のラベルテープを連続的に連結作成したテープ状ラベルテープである。このテープ状ラベルテープは各基本長毎にミシン目（Ｒ）を上台紙ごといれてある。
【図３】基本長の、二倍、三倍及び六倍で利用する状態図である。
【符号の説明】
（Ｐ）、台紙
（Ｒ）、切り離し用ミシン目
【図１】
0003097835.tif 000003
【図２】
0003097835.tif 000004
【図３】
0003097835.tif 000005
(57)【要約】【課題】外接式デジタルカメラは、ただ左右の角度に調整できるが、上下に調整できず、使用上やはり制限がある。そのためデジタルカメラを左右と上下との方向に自由に調整できるように設計する必要がある。【解決手段】デジタルカメラ本体２と、導線と、コンピューターのさしこみソケットにさしこむＵＳＢプラグ４とを備えている。デジタルカメラ本体２とＵＳＢプラグ４とは導線で連接され、導線はその外表面が全て屈折性管３０で包覆されている。屈折性管３０で導線を覆うことにより、デジタルカメラ２の撮影方向と角度とを自由に変換または定位可能である。【選択図】　　　図４
0003097883.tif 000002
【実用新案登録請求の範囲】
【請求項１】
デジタルカメラ本体と、導線と、コンピューターのさしこみソケットにさしこむＵＳＢプラグとを備え、
前記デジタルカメラ本体と前記ＵＳＢプラグは前記導線で連接され、
前記導線はその外表面が全て屈折性管で包覆され、
前記屈折性管の作用によりデジタルカメラ本体の撮影方向と角度とを自由に変換または定位可能であることを特徴とするコンピューター用デジタルカメラ。
【請求項２】
前記デジタルカメラ本体は、照明ランプとマイクを備えることを特徴とする請求項１記載のコンピューター用のデジタルカメラ。
【考案の詳細な説明】
【０００１】
【考案の属する技術分野】
本考案はコンピューター用のデジタルカメラに関する。
【０００２】
【従来の技術】
従来から使用されているコンピューター用デジタルカメラは、大多数コンピューターのディスプレーの一角隅に設置されて、その本体はディスプレーの外殻の中に隠され、ただそのレンズの部分だけが外に露出している。それでこのデジタルカメラでは一定方向の撮影しかできず、使用者はコンピューターの前に座って使用する外ないため、使用上とても不便である。図１に示すようにコンピューターＡと分離した外接式デジタルカメラ１も考案されている。このデジタルカメラ１はコンピューターＡのディスプレーＡ１の上方に設置され、使用者の位置に対して左右方向に調整ができる。
【０００３】
【考案が解決しようとする課題】
上述の外接式デジタルカメラは、ただ左右の角度に調整できるが、上下に調整できず、使用上やはり制限がある。そのためデジタルカメラを左右と上下との方向に自由に調整できるように設計する必要がある。
そこで、本考案の目的は、位置および角度を自由に調整可能なコンピュータ用デジタルカメラを提供することにある。
【０００４】
【課題を解決するための手段】
本考案は、デジタルカメラ本体の下にその形を変えられる屈折性管を連接して、使用者が必要な方向と角度とに自由にデジタルカメラ本体を調整できるようにした。
【０００５】
【作用】
本考案のＵＳＢプラグとデジタルカメラ本体との間に連接される電線は、全体が屈折性管で包覆されているので、デジタルカメラ本体はコンピューターに対してその位置と角度とを自由に変更して定位させることができる。
【０００６】
【考案の実施の形態】
本考案の実施例のコンピューター用デジタルカメラは図２と図３に示すように、デジタルカメラ本体２と導線３とＵＳＢ（ｕｎｉｖｅｒｓａｌ）プラグ４とで構成される。
デジタルカメラ本体２はその中央に撮影レンズ２０と、その下段部にマイク２１と、レンズ２０の上方にランプ２２とスイッチ２３とを有している。導線３はその一端がデジタルカメラ本体２の下端に連接され、その別端はＵＳＢプラグ４に連接され、その外表面が全部屈折性管３０に包覆されている。図３がそれを示す。これにより、デジタルカメラ本体２は、この屈折性管３０の自由な屈折性でその角度を変えて又その変えた位置に安定される。
【０００７】
本考案の実施例のデジタルカメラを使用する時は、ＵＳＢプラグ４をコンピューターＡのさしこみソケットの中にさし込んでおき、次に屈折性管３０を使用者が必要な撮影角度にまげることにより、図４と図５が示すように色々な位置に変えて使用できる。更にデジタルカメラは、マイク２１と照明ランプ２２とを備えているので使用者は必要な時に使用できる。図６と図７がそれを示す。
【０００８】
本実施例のコンピューター用デジタルカメラは次の効果を持つ。
１．屈折性管３０の作用によりデジタルカメラ本体２を自由にその高さと角度とに調整でき、コンピューターＡを動かす必要がなく、操作が極めて便利である。
２．屈折性管３０の定位により従来のコンピューター用デジタルカメラの固定式定位と角度の問題がない。
３．デジタルカメラ本体にマイク２１と照明ランプ２２とを加設しているので、これらの部品を別に買う必要がなくその費用節約できる。
【図面の簡単な説明】
【図１】従来のコンピューター用のデジタルカメラの使用状況を示す斜視図である。
【図２】本考案の実施例によるコンピューター用のデジタルカメラを示す斜視図である。
【図３】本考案の実施例によるコンピューター用のデジタルカメラの屈折性管を示す斜視図である。
【図４】本考案の実施例によるコンピューター用のデジタルカメラの使用状態（一）を示す斜視図である。
【図５】本考案の実施例によるコンピューター用のデジタルカメラの使用状態（二）を示す斜視図である。
【図６】本考案の実施例によるコンピューター用のデジタルカメラに照明灯を付けた状態を示す斜視図である。
【図７】本考案の実施例によるコンピューター用のデジタルカメラにマイクを付けた状態を示す斜視図である。
【符号の説明】
１　　デジタルカメラ本体
２　　デジタルカメラ本体
２０　　カメラレンズ
２１　　マイク
２２　　ライト
２３　　スイッチ
３　　導線
３０　　屈折性管
４　　ＵＳＢプラグ
【図１】
0003097883.tif 000003
【図２】
0003097883.tif 000004
【図３】
0003097883.tif 000005
【図４】
0003097883.tif 000006
【図５】
0003097883.tif 000007
【図６】
0003097883.tif 000008
【図７】
0003097883.tif 000009
(57)【要約】【課題】引越しなどの物品の移動時に使用するダンボール・コンテナーを、再利用型として、繰返し使用し、しかも使用による汚れ、破損を極力少なくするとともに、使用者の経済的負担を軽減する。【解決手段】使用するダンボール・コンテナーを折りたたみ式とすることにより繰返し使用することを容易にし、また当該ダンボール・コンテナーのスポンサーの広告等の表示を可能とする面を設け、さらに使用者が収納品を容易に表示できるシールを貼付する欄を設ける。【選択図】　　　　　　図１
0003097807.tif 000002
【実用新案登録請求の範囲】
【請求項１】
引越しなどの移動時に使用される小物家具・日用品あるいは食器などの収納箱において、当該収納箱の中身を表示するスペースとともに、当該収納箱のスポンサーを表示した再利用型折りたたみ式ダンボール・コンテナー。
【考案の詳細な説明】
【０００１】
【考案の属する技術分野】
本考案は、物流過程で使用されるダンボール・コンテナーのうち、当該コンテナーのスポンサーを表示したダンボール・コンテナーに関するものである。
【０００２】
【従来の技術】
従来、引越しなどの物流過程で使用されるダンボール・コンテナーは一時使用の使い捨て品が多かった。これは、その目的である物品の安全な移動に対して製造されたものでなく、他の目的（例えば一時保管など）のために製造されたものを流用していたり、あるいは２〜３回の使用に耐えればよいといった思想に基づいている。さらに、引越し専門業者では当該業者の社名が印刷されたダンボール・コンテナー等を顧客に販売するなどの方法が取られることがあり、顧客は当該業者からそれを購入することを余儀なくされることもあった。
【０００３】
【考案が解決しようとする課題】
従来の技術で述べたダンボール・コンテナーは使い捨て品であるが故に、他の目的のために製造されたものを流用するなど、破損し易く、その耐久性などに問題があった。さらに流用品であるために、その大きさ（容積）もまちまちで取り扱い難いといった欠点があった。また、数回の使用においてはその使用の都度中身を容易に消せないインクなどで表示するので、ダンボール・コンテナーの各面は汚れが激しく、中身が判別できないことすらあった。また流用品でない場合、一度しか使用しないにもかかわらず、そのダンボール・コンテナーの費用を負担するのは当該使用者の場合が多く、その使用者にとって無駄な費用といった感が否めなかった。
【０００４】
本考案は、従来技術の有するこのような問題点に鑑みてなされたものであり、使用者がダンボール・コンテナーの中身である収納品を常に識別でき、さらに当該ダンボール・コンテナーにスポンサーをつけ、スポンサー料回収を目的として何度も繰返し大事に扱うことにより、再利用化を促進し結果的に環境へも配慮されたダンボール・コンテナーを提供しようとするものである。
【０００５】
【課題を解決するための手段】
上記目的を達成するために、本考案は以下のような技術手段を採るもので、すなわち使用時に組み立てて物品を収納し、不使用時には折りたたむことのできるダンボール・コンテナーにおいて、当該ダンボール・コンテナーのスポンサーが使用できる面を設け、スポンサーの広告等を印刷あるいはシール貼付に使用し、当該ダンボール・コンテナーの別の面には使用者が中身を記したシールを貼付する欄を設けてなることを特徴とする。
【０００６】
【考案の実施の形態】
考案の実施の形態について図面を参照して説明する。
図１において、ダンボール・コンテナー１の一側面２は、当該ダンボール・コンテナーのスポンサーの広告等を表示する面である。この広告等の効果を上げるため、対向面５も同様にスポンサーの使用面としてもよい。
別の一側面３は、使用者が当該ダンボール・コンテナーに収納した中身を記したシールを貼付する枠付けした欄を設けた面である。当該面は一箇所として使用者が複数面にシールを貼る手間を省くとともに、当該シールの裏面には、貼付を容易にするために、両面接着シール材を施す。
又、当該ダンボール・コンテナーの上面は、このコンテナーが再利用型コンテナーであることを示す注意書きを表示する面である。
【０００７】
【考案の効果】
以上のような本考案は、以下のような効果を奏する。
（１）使用者が中身を記したシールを貼付する面中に貼付欄を設けたことにより、常に表示欄を確保できる
（２）従って、上記表示欄以外に使用者が表示する必要はないので汚れを防ぐことができる。
（３）ダンボール・コンテナーの大きさを揃えることにより、体裁よく当該ダンボール・コンテナー自体の収納スペースを確保することができる。
（４）スポンサーの広告等の表示により、スポンサーの知名度を上げることができる。
（５）ダンボール・コンテナーを使用する者に経済的負担をかけずに再利用され、利用促進されることにより経済的節減、環境（ごみ問題等）への配慮がなされる。
【図面の簡単な説明】
【図１】ダンボール・コンテナーのスポンサーが使用する面、及び使用者がシールを貼付する箇所を示した斜視図の一例である。
【符号の説明】
１　折りたたみ式ダンボール・コンテナー
２　スポンサーの広告等の表示面
３　使用者の収納中身を記したシール貼付欄
４　再利用型コンテナーであることを示す注意書き
５　スポンサーの広告等の表示面
【図１】
0003097807.tif 000003
【手続補正書】
【提出日】平成15年6月20日(2003.6.20)
【手続補正１】
【補正対象書類名】明細書
【補正対象項目名】請求項１
【補正方法】変更
【補正の内容】
【請求項１】
引越しなどの移動時に使用される小物家具・日用品あるいは食器などの収納箱において、当該収納箱のスポンサーを表示した面と、当該収納箱の中身を記したシールを貼付する欄を有する再利用型折りたたみ式ダンボール・コンテナー。